(57)【特許請求の範囲】
【請求項１】
湯水混合栓の本体と、該本体の後方に位置する壁面に固定され、左右に並び、各々前記本体に接続される二つの接続管部と、該二つの接続管部を覆うカバーとを具備したカバー水栓であって、
前記カバーは前後にスライド可能に構成され、
前記カバーを前方に付勢する付勢手段を具備し、
該付勢手段によって、前記カバーは前記本体に当接した状態に維持されることを特徴とするカバー水栓。
【請求項２】
前記付勢手段は、前記壁面に取り付けられる固定部材に設けられた板ばね部である請求項１に記載のカバー水栓。
【発明の詳細な説明】
【技術分野】
【０００１】
本発明は、例えば、浴室等の壁の表側に設置される水栓に繋がる接続管部をカバーで覆うようにしたカバー水栓に関する。
【背景技術】
【０００２】
特許文献１には、湯水混合栓の本体をもカバーで覆うようにしたカバー水栓が開示されている。
【先行技術文献】
【特許文献】
【０００３】
【特許文献１】特開２０１３−４０５４６号公報
【発明の概要】
【発明が解決しようとする課題】
【０００４】
このようなカバー水栓において、図４に示すように、湯水混合栓の本体４に接続される接続管部２はこれまでと同じくカバー３で覆いつつ、湯水混合栓の本体４自体はカバー３で覆わず露出させるようにしようとすると、以下のような問題が生ずる。
【０００５】
すなわち、従来のカバー水栓では、湯水混合栓の本体４の左右に各々偏心管５が接続される。この偏心管５は湯水混合栓の背面側にある壁面内の配管（図示していない）に螺合接続されるものであり、その構造上、左右の偏心管５の前後の位置を相互に完全に一致させるのは困難である。そして、左右の偏心管５の位置が一致していない場合、湯水混合栓の本体４はその背面側にある壁面に対して厳密には斜めになり、これに起因して、偏心管５を覆うカバー３と本体４との間に僅かながらも隙間が生まれ、その結果、美観が低下する懸念がある。
【０００６】
本発明は上述の事柄に留意してなされたもので、その目的は、美観の向上に寄与し得るカバー水栓を提供することにある。
【課題を解決するための手段】
【０００７】
上記目的を達成するために、本発明に係るカバー水栓は、湯水混合栓の本体と、該本体の後方に位置する壁面に固定され、左右に並び、各々前記本体に接続される二つの接続管部と、該二つの接続管部を覆うカバーとを具備したカバー水栓であって、前記カバーは前後にスライド可能に構成され、前記カバーを前方に付勢する付勢手段を具備し、該付勢手段によって、前記カバーは前記本体に当接した状態に維持される（請求項１）。
【０００８】
上記カバー水栓において、前記付勢手段は、前記壁面に取り付けられる固定部材に設けられた板ばね部であってもよい（請求項２）。
【発明の効果】
【０００９】
本願発明では、美観の向上に寄与し得るカバー水栓が得られる。
【００１０】
すなわち、本願の各請求項に係る発明のカバー水栓では、本体に接続される左右の接続管部の前後の位置が相互に完全に一致していなくても、付勢手段の付勢作用により、本体にカバーを当接させた状態に維持し、本体との間に隙間が生じないようにすることができるので、美観の向上を図ることができる。
【００１１】
請求項２に係る発明のカバー水栓では、簡易な構成によって付勢手段を得ることができる。
【図面の簡単な説明】
【００１２】
【図１】本発明の一実施の形態に係るカバー水栓の構成を概略的に示す説明図である。
【図２】（Ａ）〜（Ｃ）は、前記カバー水栓の横断面図、一部を切り欠いて示す正面図及び縦断面図である。
【図３】（Ａ）〜（Ｆ）は、前記カバー水栓の取付け手順を示す説明図である。
【図４】従来のカバー水栓の構成を概略的に示す説明図である。
【発明を実施するための形態】
【００１３】
本発明の実施の形態について図面を参照しながら以下に説明する。
【００１４】
本実施の形態に係るカバー水栓は、水栓１と、この水栓１に各々接続される二つの接続管部２を覆うカバー３とを有し、例えば浴室の壁面に設置されるものである。
【００１５】
まず、水栓１について説明すると、図１及び図２（Ａ）〜（Ｃ）に示すように、本例の水栓１は、左右方向に延びる略円筒状の外観を呈する本体４を有し、本体４の背面の左右には偏心管５を含む接続管部２を介して図外の給湯配管、給水配管が接続される湯水混合栓である。本体４の内部には、本体４内に別々に導入された給湯配管からの湯と給水配管からの水とが混合される混合室（図示していない）と、混合室の上流側に位置し、混合室への湯水の流入比を調節するための第一弁部と、混合室の下流側に位置し、混合室からの湯水の導出流路の切替え及び導出流量の調整を行うための第二弁部とが設けられる。そして、本体４の左右にはハンドル６，７が取り付けられ、一方のハンドル６は、第一弁部と連動して本体４から導出部（吐水口８またはシャワーエルボ９）を経て外部に導出される湯水の温度調節機能を司り、他方のハンドル７は、第二弁部と連動して導出流路の切替え（湯水を吐水口８から導出する状態とシャワーエルボ９から導出する状態との切替え）機能及び吐水流量の調整機能を司る。このような構成を備えた湯水混合栓は周知であり、斯かる構成のより詳細な説明は省略する。
【００１６】
ここで、本例の接続管部２は、左右に並ぶ二つの偏心管５と、各偏心管５を本体４に繋ぐ二つの管継手（ニップル）１０とによって構成されている。
【００１７】
一方、カバー３は、図１に示すように、接続管部２を上方から覆う上カバー１１と、下方から覆う下カバー１２と、壁面に取り付けられる固定部材１３と、化粧カバー１４とを備えている。
【００１８】
次に、本例のカバー水栓の構成のより詳細な説明も兼ね、カバー水栓の設置方法について説明する。本設置方法は、以下の手順（１）〜（４）で実施される。
【００１９】
（１）図外の壁面（本体４の後方に位置することになる壁面）に二つの偏心管５を取り付ける（図３（Ａ）参照）。本例では、壁面の裏側に配置された給湯配管及び給水配管の先端が壁面に設けられた開口から外部（表側）に臨んでおり、その先端にそれぞれ偏心管５を螺合する。但し、このような構成に限らず、二つの偏心管５を壁面に取り付ける手段には適宜の構成を採用可能である。
【００２０】
（２）図外の壁面に固定部材１３を固定するとともに（図３（Ｂ）参照）、二つの偏心管５に管継手１０を介して本体４を連結する（図３（Ｃ）参照）。なお、固定部材１３の固定と、偏心管５に対する本体４の連結とは、いずれを先に行ってもよい。
【００２１】
（３）接続管部２に対して上カバー１１及び下カバー１２を装着する（図３（Ｄ）及び（Ｅ）参照）。
【００２２】
（４）固定部材１３に化粧カバー１４を装着する（図３（Ｆ）参照）。
【００２３】
ここで、上記手順（２）で用いる固定部材１３は、図３（Ｂ）に示すように、二つの偏心管５の下方を通り略水平に延びる基部１３ａと、この基部１３ａの両端及び中央から立ち上がる三つの支柱部１３ｂと、基部１３ａの両端から立ち上がり支柱部１３ｂよりも前方に位置する支持部１３ｃとを有し、支持部１３ｃの上部には板ばね部（上カバー１２及び下カバー１２を前方に付勢する付勢手段の一例）１３ｄが形成されている。そして、固定部材１３における適宜の部位（本例では各支柱部１３ｂの上部等）が壁面に例えばビス止めされる。
【００２４】
また、図３（Ｄ）に示すように、上記手順（３）で用いる上カバー１１には、二つの管継手１０に弾性係合し、管継手１０に沿って前後方向にスライド可能な略Ｃ字状の二つの係合部１５が設けられている。さらに、二つの係合部１５の間には、シャワーエルボ９の基部に弾性係合し、シャワーエルボ９の基部に沿って前後方向にスライド可能な略Ｃ字状の係合部１６が設けられている。
【００２５】
また、上記手順（３）で用いる下カバー１２は、上カバー１１に係合し、上カバー１１とで接続管部２を覆う状態となるように構成されているとともに、図３（Ｅ）に示すように、接続管部２を覆う状態で、偏心管５の一部やシャワーエルボ９の先端を外部に露出させるように構成されている。
【００２６】
そして、接続管部２に装着された状態の上カバー１１の背面上部は、固定部材１３の板ばね部１３ｄによって前方に付勢され（図２（Ｃ）参照）、これにより、上カバー１１の前端は本体４の外面に当接（密接）する。また、上カバー１１に係合する下カバー１２も、上カバー１１と同様に前方に移動し、下カバー１２の前端は本体４の外面に当接（密接）する。
【００２７】
図３（Ｆ）に示す上記手順（４）で用いる化粧カバー１４は、図１にも示すように、横倒しにした略コの字状を呈し、固定部材１３の支柱部１３ｂに係合するように構成されている。そして、化粧カバー１４は、固定部材１３に係合した状態において、上カバー１１及び下カバー１２と壁面との隙間を覆い、かつ、固定部材１３における上カバー１１及び下カバー１２に覆われていない部位（本例では、両端の支柱部１３ｂの略全体と中央の支柱部１３の上部）を覆うように構成されている。
【００２８】
上記のように構成されたカバー水栓では、左右の偏心管５の前後の位置が相互に完全に一致していなくても、固定部材１３に設けた板ばね部１３ｄの付勢作用により、湯水混合栓の本体４に上カバー１１及び下カバー１２を当接させた状態に維持し、本体４との間に隙間が生じないようにすることができるので、美観の向上を図ることができる。
【００２９】
なお、本発明は、上記の実施の形態に何ら限定されず、本発明の要旨を逸脱しない範囲において種々に変形して実施し得ることは勿論である。例えば、以下のような変形例を挙げることができる。
【００３０】
上記実施の形態では、接続管部２を覆うカバー３を上カバー１１と下カバー１２とに分離可能とし、接続管部２を側面から覆う部位は主として上カバー１１に設けているが、これを下カバー１２に設けてもよく、その他、上カバー１１と下カバー１２の形状は種々に変形可能である。接続管部２を覆うカバー３は、上カバー１１と下カバー１２というように上下に分離するものに限らず、例えば左右に分離可能であってもよく、分離するパーツ数も二つに限らず三つ以上であってもよい。
【００３１】
また、上記実施の形態では、上カバー１１に係合部１５，１６を設け（図３（Ｄ）参照）、上カバー１１及び下カバー１２を、管継手１０及びシャワーエルボ９の基部に沿って前後方向にスライド可能としているが、これに限らず、上カバー１１及び下カバー１２が、偏心管５など接続管部２の他の部位に沿ってスライドしてもよいし、さらには、固定部材１３や本体４に設けられた前後方向に延びる部位に沿って前後方向にスライドするようにしてもよい。
【００３２】
また、板ばね部１３ｄの位置も適宜変更可能であり、カバー３の上部に限らず、側部や下部などを付勢するようにしてあってもよい。さらに、カバー３を前方に付勢する付勢手段も、板ばね部１３ｄに限らず、スプリング等の他の付勢手段を採用可能である。
【００３３】
なお、上記変形例どうしを適宜組み合わせてもよいことはいうまでもない。
【符号の説明】
【００３４】
１    水栓
２    接続管部
３    カバー
４    本体
５    偏心管
６    ハンドル
７    ハンドル
８    吐水口
９    シャワーエルボ
１０    管継手
１１    上カバー
１２    下カバー
１３    固定部材
１３ａ  基部
１３ｂ  支柱部
１３ｃ  支持部
１３ｄ  板ばね部
１４    化粧カバー
１５    係合部
１６    係合部
【図１】
0006430891.tif 000002
【図２】
0006430891.tif 000003
【図３】
0006430891.tif 000004
【図４】
0006430891.tif 000005